(57)【要約】【課題】時刻修正及びイベントの実行を適切に行う時刻設定システム、電子機器及び時刻設定方法を提供する。【解決手段】時刻設定システムは、第１の計時回路と、イベント予定時刻を記憶する第１のイベント予定時刻記憶部と、前記第１の計時回路により計時される時刻が前記第１のイベント予定時刻記憶部に記憶された前記イベント予定時刻となった時に、所定のイベントを実行するイベント実行部と、を有する電子時計と、第２の計時回路と、前記イベント予定時刻を記憶する第２のイベント予定時刻記憶部と、前記第１の計時回路により計時される時刻を修正する時刻修正情報を送信する時刻修正情報送信部と、前記第２の計時回路により計時される時刻が、少なくとも前記第２のイベント予定時刻記憶部に記憶された前記イベント予定時刻の後の所定の制限範囲にある場合に、前記時刻修正情報の送信を制限する制限部と、を有する電子機器と、を有する。【選択図】図１
2017227588.tif 000002
【特許請求の範囲】
【請求項１】
第１の計時回路と、
イベント予定時刻を記憶する第１のイベント予定時刻記憶部と、
前記第１の計時回路により計時される時刻が前記第１のイベント予定時刻記憶部に記憶された前記イベント予定時刻となった時に、所定のイベントを実行するイベント実行部と、
を有する電子時計と、
第２の計時回路と、
前記イベント予定時刻を記憶する第２のイベント予定時刻記憶部と、
前記第１の計時回路により計時される時刻を修正する時刻修正情報を送信する時刻修正情報送信部と、
前記第２の計時回路により計時される時刻が、少なくとも前記第２のイベント予定時刻記憶部に記憶された前記イベント予定時刻の後の所定の制限範囲にある場合に、前記時刻修正情報の送信を制限する制限部と、
を有する電子機器と、
を有する時刻設定システム。
【請求項２】
前記電子時計は、前記第１のイベント予定時刻記憶部に記憶された前記イベント予定時刻を送信するイベント予定時刻送信部をさらに有し、
前記電子機器は、前記時刻修正情報送信部による前記時刻修正情報の送信に先立って、前記電子時計から前記イベント予定時刻を受信するイベント予定時刻受信部をさらに有する、
請求項１に記載の時刻設定システム。
【請求項３】
前記電子機器は、前記時刻修正情報送信部による前記時刻修正情報の送信に先立って、前記電子時計へ前記イベント予定時刻を送信するイベント予定時刻送信部をさらに有し、
前記電子時計は、
前記イベント予定時刻を受信するイベント予定時刻受信部と、
前記イベント予定時刻受信部により受信した前記イベント予定時刻により前記第１のイベント予定時刻記憶部に記憶された前記イベント予定時刻を更新するイベント予定時刻更新部と、をさらに有する、
請求項１に記載の時刻設定システム。
【請求項４】
前記制限部は、前記第２の計時回路により計時される時刻のタイムゾーンの変更、最後の前記時刻修正情報の送信からの所定期間の経過、前記第１の計時回路の停止、及び前記第２の計時回路により計時される時刻のユーザによる修正の少なくともいずれかがあった場合には、前記時刻修正情報の送信の制限を行わない、
請求項１〜３のいずれか１項に記載の時刻設定システム。
【請求項５】
前記イベント予定時刻は、毎正秒である、
請求項１〜４のいずれか１項に記載の時刻設定システム。
【請求項６】
前記電子機器は、前記制限範囲を最後の前記時刻修正情報の送信からの期間に基づいて設定する制限範囲設定部をさらに有する、
請求項１〜５のいずれか１項に記載の時刻設定システム。
【請求項７】
前記制限範囲設定部は、前記制限範囲を、前記イベント予定時刻の前に設定せず、前記イベント予定時刻の後に設定する、
請求項６に記載の時刻設定システム。
【請求項８】
前記所定のイベントは、アラームの発生、発電量、受光量又は消費電力の記録、発電量、受光量又は消費電力の送信、及び前記電子機器に対する通信の着信確認の少なくともいずれかである、
請求項１〜７のいずれか１項に記載の時刻設定システム。
【請求項９】
計時回路と、
イベント予定時刻を記憶するイベント予定時刻記憶部と、
電子時計の時刻を修正する時刻修正情報を送信する時刻修正情報送信部と、
前記計時回路により得られた時刻が、少なくとも前記イベント予定時刻の後の所定の制限範囲にある場合に、前記時刻修正情報の送信を制限する制限部と、
を有する電子機器。
【請求項１０】
電子機器により時刻を計時し、
計時された前記時刻が、少なくともイベント予定時刻の後の所定の制限範囲にある場合には前記時刻修正情報の送信を制限し、そうでない場合には前記時刻修正情報の送信を許可し、
前記時刻修正情報の送信が許可されている場合に、前記電子機器により電子時計に時刻修正情報を送信し、
前記電子時計により前記時刻修正情報を受信し、
前記時刻修正情報に基づいて前記電子時計により計時される時刻を修正する、
時刻設定方法。
【発明の詳細な説明】
【技術分野】
【０００１】
本発明は時刻設定システム、電子機器及び時刻設定方法に関する。
【背景技術】
【０００２】
電子時計は、ＩＥＥＥ  ８０２．１５等の規格に基づいた近距離無線通信によりスマートフォン等の他の電子機器と通信して、電子機器より時刻修正情報を取得し、電子時計の内部時計を修正する場合がある。
【０００３】
例えば、特許文献１には、受信した時刻と内部電子時計の時刻の差が所定値以上の場合には、内部電子時計の時刻修正を行わないように制御する電波修正機能付きアラーム時計が記載されている。
【０００４】
また、特許文献２には、補正により、時刻がアラーム設定時刻後となるとアラームを鳴動し、時刻がアラーム設定時刻前となるとアラームを鳴動しない無線選択呼出受信機が記載されている。
【０００５】
また、特許文献３には、現在時刻を補正時刻に時刻補正する時点で、アラーム設定時刻が現在時刻より遅くかつ補正時刻より早い場合には、アラームを作動させた後に時刻補正を実行する時刻補正機能付き無線携帯端末機が記載されている。
【０００６】
また、特許文献４には、電波による定時に行なわれる時刻修正動作と付加機能手段の動作が重複する場合には、定時に行なわれる時刻修正の時刻を変更する電波修正時計が記載されている。
【先行技術文献】
【特許文献】
【０００７】
【特許文献１】特許第３８３７０９３号
【特許文献２】特開平１１−２８５０４２号公報
【特許文献３】特開２００５−１６７６１８号公報
【特許文献４】特開２００４−１３８４３８号公報
【発明の概要】
【発明が解決しようとする課題】
【０００８】
電子時計は、アラーム等のイベントを、ユーザにより設定されたイベント予定時刻に実行する機能を有する場合がある。ここで、イベントの実行に先立って、電子時計が電子機器から時刻修正情報を受信した場合、時刻修正によってイベント予定時刻が飛ばされ、イベントが実行されないことが懸念される。
【０００９】
この点について、例えば引用文献３のように、イベント予定時刻が修正前の現在時刻より後であり、イベント予定時刻をまたぐように時刻修正を行う場合、イベントの実行を優先し、イベント実行後に時刻修正を行うことが考えられる。しかしながら、このような構成では、タイムゾーンの変更等に起因する大幅な時刻修正を行う場合に、イベント予定時刻の到来まで時刻修正がされないことが想定される。
【００１０】
本発明はかかる事情に鑑みてなされたものであり、その目的は、時刻修正及びイベントの実行を適切に行う時刻設定システム、電子機器及び時刻設定方法を提供することである。
【課題を解決するための手段】
【００１１】
上記課題を解決すべく本出願において開示される発明は種々の側面を有しており、それら側面の代表的なものの概要は以下の通りである。
【００１２】
（１）時刻設定システムは、第１の計時回路と、イベント予定時刻を記憶する第１のイベント予定時刻記憶部と、前記第１の計時回路により計時される時刻が前記第１のイベント予定時刻記憶部に記憶された前記イベント予定時刻となった時に、所定のイベントを実行するイベント実行部と、を有する電子時計と、第２の計時回路と、前記イベント予定時刻を記憶する第２のイベント予定時刻記憶部と、前記第１の計時回路により計時される時刻を修正する時刻修正情報を送信する時刻修正情報送信部と、前記第２の計時回路により計時される時刻が、少なくとも前記第２のイベント予定時刻記憶部に記憶された前記イベント予定時刻の後の所定の制限範囲にある場合に、前記時刻修正情報の送信を制限する制限部と、を有する電子機器と、を有する。
【００１３】
（２）（１）において、前記電子時計は、前記第１のイベント予定時刻記憶部に記憶された前記イベント予定時刻を送信するイベント予定時刻送信部をさらに有し、前記電子機器は、前記時刻修正情報送信部による前記時刻修正情報の送信に先立って、前記電子時計から前記イベント予定時刻を受信するイベント予定時刻受信部をさらに有する、時刻設定システム。
【００１４】
（３）（１）において、前記電子機器は、前記時刻修正情報送信部による前記時刻修正情報の送信に先立って、前記電子時計へ前記イベント予定時刻を送信するイベント予定時刻送信部をさらに有し、前記電子時計は、前記イベント予定時刻を受信するイベント予定時刻受信部と、前記イベント予定時刻受信部により受信した前記イベント予定時刻により前記第１のイベント予定時刻記憶部に記憶された前記イベント予定時刻を更新するイベント予定時刻更新部と、をさらに有する、時刻設定システム。
【００１５】
（４）（１）〜（３）のいずれか１項において、前記制限部は、前記第２の計時回路により計時される時刻のタイムゾーンの変更、最後の前記時刻修正情報の送信からの所定期間の経過、前記第１の計時回路の停止、及び前記第２の計時回路により計時される時刻のユーザによる修正の少なくともいずれかがあった場合には、前記時刻修正情報の送信の制限を行わない、時刻設定システム。
【００１６】
（５）（１）〜（４）のいずれか１項において、前記イベント予定時刻は、毎正秒である、時刻設定システム。
【００１７】
（６）（１）〜（５）のいずれか１項において、前記電子機器は、前記制限範囲を最後の前記時刻修正情報の送信からの期間に基づいて設定する制限範囲設定部をさらに有する、時刻設定システム。
【００１８】
（７）（６）において、前記制限範囲設定部は、前記制限範囲を、前記イベント予定時刻の前に設定せず、前記イベント予定時刻の後に設定する、時刻設定システム。
【００１９】
（８）（１）〜（７）のいずれか１項において、前記所定のイベントは、アラームの発生、発電量、受光量又は消費電力の記録、発電量、受光量又は消費電力の送信、及び前記電子機器に対する通信の着信確認の少なくともいずれかである、時刻設定システム。
【００２０】
（９）電子機器は、計時回路と、イベント予定時刻を記憶するイベント予定時刻記憶部と、電子時計の時刻を修正する時刻修正情報を送信する時刻修正情報送信部と、前記計時回路により得られた時刻が、少なくとも前記イベント予定時刻の後の所定の制限範囲にある場合に、前記時刻修正情報の送信を制限する制限部と、を有する。
【００２１】
（１０）時刻設定方法は、電子機器により時刻を計時し、計時された前記時刻が、少なくともイベント予定時刻の後の所定の制限範囲にある場合には前記時刻修正情報の送信を制限し、そうでない場合には前記時刻修正情報の送信を許可し、前記時刻修正情報の送信が許可されている場合に、前記電子機器により電子時計に時刻修正情報を送信し、前記電子時計により前記時刻修正情報を受信し、前記時刻修正情報に基づいて前記電子時計により計時される時刻を修正する。
【発明の効果】
【００２２】
上記本発明の（１）、（９）及び（１０）の側面によれば、時刻修正及びイベントの実行を適切に行う時刻設定システム、電子機器及び時刻設定方法が得られる。
【００２３】
また、上記本発明の（２）の側面によれば、電子時計において設定したイベント予定時刻が電子機器に共有され、電子機器から電子時計への時刻修正情報の送信が適切に制御される。
【００２４】
また、上記本発明の（３）の側面によれば、入力手段や処理能力が豊富な電子機器によりイベント予定時刻を一元的に管理することができ、ユーザの利便性が向上する。
【００２５】
また、上記本発明の（４）の側面によれば、時刻ずれが比較的大きいと想定される場合に時刻修正が制限されず、ユーザの利便性が向上する。
【００２６】
また、上記本発明の（５）の側面によれば、イベント予定時刻の設定が簡便になる。
【００２７】
また、上記本発明の（６）の側面によれば、イベントの実行と時刻修正の両立がより柔軟に行なわれる。
【００２８】
また、上記本発明の（７）の側面によれば、電子時計の内部時刻の修正をより迅速に行うことができる。
【００２９】
また、上記本発明の（８）の側面によれば、実行時刻の正確性が要求されるイベントについて、イベント実行時刻の正確性と計時の正確性とが両立される。
【図面の簡単な説明】
【００３０】
【図１】本発明の第１の実施形態に係る電子時計の外観の一例を示す平面図である。
【図２】本発明の第１の実施形態に係る電子時計及び携帯端末の物理構成の一例を示す図である。
【図３】本発明の第１の実施形態に係る時刻設定システムの機能ブロック図である。
【図４】本発明の第１の実施形態に係る時刻設定システムにおける時刻修正のフローチャートである。
【図５】本発明の第１の実施形態に係る携帯端末における制限範囲設定のフローチャートである。
【図６】本発明の第２の実施形態に係る時刻設定システムの機能ブロック図である。
【図７】本発明の第２の実施形態に係る時刻設定システムにおける時刻修正のフローチャートである。
【発明を実施するための形態】
【００３１】
以下、本発明の実施の形態について、図面を参照しながら説明する。
【００３２】
［第１の実施形態］
図１は、本発明の第１の実施形態に係る電子時計１の外観の一例を示す平面図である。本実施形態に係る電子時計１は、いわゆるアナログ腕時計の外観を有し、電子機器である携帯端末３０と近距離無線通信を行う。近距離無線通信を行うための通信回路やアンテナは、外装（時計ケース）である胴内に納められている。近距離無線通信の規格は特に限定されず、公知のいかなるものであってもよいが、本実施形態ではＢＬＥを用いる。電子時計１は、時刻針の時刻合わせや機能の使用に用いる竜頭２と、プッシュボタン４を有する。
【００３３】
電子時計１は、外装（時計ケース）である胴内に文字板１０を有する。文字板１０上には、電子時計１が携帯端末３０との接続を確立する処理を行っていることを表す接続処理表示１１と、携帯端末３０との接続が切断されたことを表すリンクロス表示１２と、携帯端末３０に電子メールの受信があったことを通知する電子メール受信表示１３と、携帯端末３０に電話の着信があったことを通知する電話着信表示１４とを有する。電子時計１は、接続処理表示１１、リンクロス表示１２、電子メール受信表示１３及び電話着信表示１４のいずれかを後述する秒針２２により指し示すことで、ユーザに対しそれぞれの情報を表示する。
【００３４】
電子時計１は、第１副針１５を有し、第１副針１５により現在時刻を２４時制で示す２４時間表示１５ａを有する。また、電子時計１は、第２副針１６を有し、第２副針１６により二次電池の充電残量を「０」〜「３」の４段階で示す充電残量表示１６ａと、第２副針１６により現在の曜日を「日」〜「土」で示す曜日表示１６ｂと、第２副針１６によりアラーム機能の設定を「ＯＮ」又は「ＯＦＦ」で示すアラーム設定表示１６ｃと、第２副針１６により携帯端末３０との近距離無線通信による接続状態を「ＯＮ」又は「ＯＦＦ」で示す接続状態表示１６ｄと、を有する。また、電子時計１は、第３副針１７を有し、第３副針１７で「ＴＭＥ」を指すことにより現在時刻表示機能が設定されていることを示し、第３副針１７で「ＣＨＲ」を指すことによりクロノグラフ機能が設定されていることを示し、第３副針１７で「ＡＬＭ」を指すことによりアラーム機能の設定状態にあることを示し、第３副針１７で「Ｌ−ＴＭ」を指すことによりローカル時刻表示機能が設定されていることを示す、機能設定表示１７ａを有する。
【００３５】
電子時計１は、モータにより駆動される複数の時刻針を有する。具体的には、電子時計１は、時刻針として、ステッピングモータにより駆動される時針２０、分針２１及び秒針２２を有する。もっとも、電子時計１は、これら以外の指針を時刻針として有してもよい。また、時刻針は何らかの時刻を指し示すためのアナログ表示部材であり、代表的なものは指針であるが、特殊なものとして、回転円板や、レトログラードなども時刻針に含まれ得る。
【００３６】
電子時計１は、音を発するブザー１８を有する。ブザー１８は、イベント予定時刻に音を発するアラームに用いられる。また、ブザー１８は、携帯端末３０に対する通信の着信確認に応じて音を発してよい。ここで、携帯端末３０に対する通信の着信には、携帯端末３０による電子メールの受信、携帯端末３０により制御されるＳＮＳアプリケーションによるメッセージの着信、携帯端末３０による電話の着信を含む。電子時計１は、携帯端末３０に対する通信の着信があったことをユーザに知らせるため、携帯端末３０より受信した着信確認情報に応じてブザー１８により音を発してよい。
【００３７】
電子時計１には、文字板１０を覆うようにガラス等の透明材料により形成された風防が胴に取り付けられている。また、風防の反対側においては裏蓋が胴に取り付けられている。本明細書では、以降、電子時計１の風防が配置される方向（図１における紙面手前方向）を表側、裏蓋が配置される方向（図１における紙面奥方向）を裏側と呼ぶ。
【００３８】
図１に示した電子時計１のデザインは一例である。ここで示したもの以外にも、例えば、胴を丸型でなく角型にしてもよいし、竜頭２やプッシュボタン４の有無、数、配置は任意である。また、本実施形態では、指針を時針２０、分針２１、秒針２２、第１副針１５、第２副針１６及び第３副針１７の計６本としているが、これに限定されず、各種の表示を行う指針を追加又は削除してもよい。
【００３９】
図２は、本発明の第１の実施形態に係る電子時計１及び携帯端末３０の物理構成の一例を示す図である。電子時計１は、アンテナを含む時計通信部６２で近距離無線通信に用いられる電波を送受信する。電子時計１は、例えば、携帯端末３０から時刻修正情報がエンコードされた電波を受信する。受信された電波は、エンコード／デコード回路４１によりデコードされ、コントローラ４０に受け渡される。コントローラ４０は、電子時計１全体の動作を制御するマイクロコンピュータであり、その内部に第１の時計回路を有しており、内部時刻を計時する機能を有している。第１の時計回路の精度は、用いる水晶振動子の精度や温度等の使用環境にも依存するが、月差±１５秒程度である。もちろん、この精度は、必要に応じて任意に設定してよい。また、第１の時計回路により保持される内部時刻は、受信された時刻修正情報に基づいて適宜修正されることにより、正確に保たれる。
【００４０】
コントローラ４０には、ユーザによる外部からの操作を受け付ける入力部（竜頭２及びプッシュボタン４）からの信号が入力される。また、コントローラ４０からは、内部時刻に基づいてモータ４２を駆動する信号が出力され、指針（時針２０、分針２１及び秒針２２）を駆動し、時刻が表示される。さらに、電子時計１の状態や携帯端末３０から受信した情報に応じた信号がモータ４２に出力され、第１副針１５、第２副針１６及び第３副針１７が駆動される。なお、指針を駆動するモータ４２は１つに限定されず、独立して動作させたい指針の数に応じて複数のモータを設けてよい。また、コントローラ４０からは、ブザー１８により音を発生させる信号が出力される。ブザー１８は、どのようなものを用いてもよく、例えば圧電ブザーであってよい。
【００４１】
本実施形態に係る電子時計１は、太陽電池４３を備える。太陽電池４３による発電により得られた電力は、電池４４に蓄積される。そして、電池４４からは、エンコード／デコード回路４１及びコントローラ４０に電力が供給される。スイッチ４５は、エンコード／デコード回路４１への電力供給のオン／オフを切り替えるスイッチであり、コントローラ４０により制御される。高周波数で動作するエンコード／デコード回路４１はその消費電力が大きいため、コントローラ４０は、電波を送受信する時のみスイッチ４５をオンとしてエンコード／デコード回路４１を動作させ、それ以外の時はスイッチ４５をオフとして、消費電力を低減する。
【００４２】
太陽電池４３からは、発電量、受光量又は消費電力を示す情報がコントローラ４０に入力される。コントローラ４０は、発電量、受光量又は消費電力を示す情報をエンコード／デコード回路４１に受け渡し、エンコード／デコード回路４１が発電量、受光量又は消費電力を示す情報をエンコードし、近距離無線通信により携帯端末３０に送信する。電子時計１は、発電量、受光量又は消費電力を示す情報を、例えば１時間毎等、定期的に携帯端末３０に送信することとしてよい。
【００４３】
電子時計１による近距離無線通信は、竜頭２やプッシュボタン４等の入力手段によるユーザからの要求がなされた時や、あらかじめ定められた時刻となったとき、前回の時刻修正があった時刻からの経過時間、あるいは太陽電池４３の発電量やその他の電子時計１の周囲の環境を示す情報等に基づいて行うようにしてよい。
【００４４】
携帯端末３０は、アンテナを含む端末通信部５４で近距離無線通信に用いられる電波を送受信する。携帯端末３０は、例えば、エンコード／デコード回路３２により時刻修正情報をエンコードして、電子時計１に送信する。また、携帯端末３０は、インターネット回線や電話回線に無線接続され、時刻情報を取得したり、電子メールの送受信や電話通信を行ったりする。ＣＰＵ（Ｃｅｎｔｒａｌ  Ｐｒｏｃｅｓｓｉｎｇ  Ｕｎｉｔ）３１は、携帯端末３０全体の動作を制御し、その内部に第２の時計回路を有しており、内部時刻を計時する機能を有している。第２の時計回路は、インターネット回線より取得される時刻情報に基づいて適宜修正され、正確な計時が維持される。
【００４５】
ＣＰＵ３１には、ユーザによる外部からの操作を受け付ける入力部５０（タッチパネル）からの信号が入力される。また、ＣＰＵ３１からは、表示部５１（液晶ディスプレイ）に映像信号が出力される。携帯端末３０は、電池３３を備え、電池３３からエンコード／デコード回路３２及びＣＰＵ３１に電力が供給される。
【００４６】
図３は、本発明の第１の実施形態に係る時刻設定システムの機能ブロック図である。携帯端末３０は、入力部５０と、表示部５１と、端末制御部５２と、第２のイベント予定時刻記憶部５３と、端末通信部５４と、を有する。入力部５０は、携帯端末３０のユーザの操作を受け付けて、携帯端末３０の端末制御部５２に入力を行うものであり、本実施形態の場合タッチパネルである。表示部５１は、ユーザに種々の情報を表示するものであり、本実施形態の場合、液晶ディスプレイである。
【００４７】
端末制御部５２は、ＣＰＵ３１で構成され、携帯端末３０全体を制御する。端末制御部５２は、第２の計時回路５２ａと、制限部５２ｂと、制限範囲設定部５２ｃと、を含む。第２の計時回路５２ａは、水晶振動子に基づいて計時を行う。制限部５２ｂは、第２の計時回路５２ａにより計時される時刻が、少なくとも第２のイベント予定時刻記憶部５３に記憶されたイベント予定時刻の後の所定の制限範囲にある場合に、時刻修正情報送信部５４ｂによる時刻修正情報の送信を制限する。制限部５２ｂの機能については、後に詳細に説明する。制限範囲設定部５２ｃは、制限部５２ｂにより参照される制限範囲を、最後の時刻修正情報の送信からの期間に基づいて設定する。
【００４８】
第２のイベント予定時刻記憶部５３は、イベント予定時刻を記憶する。ここで、イベントとは、電子時計１により実行される動作であって、アラームの発生、発電量、受光量又は消費電力の記録、発電量、受光量又は消費電力の送信、及び携帯端末３０（電子機器）に対する通信の着信確認の少なくともいずれかである。また、イベント予定時刻は、イベントの実行が予定されている時刻である。
【００４９】
端末通信部５４は、イベント予定時刻受信部５４ａと、時刻修正情報送信部５４ｂと、発電量受信部５４ｃと、を含む。イベント予定時刻受信部５４ａは、時刻修正情報送信部５４ｂによる時刻修正情報の送信に先立って、電子時計１からイベント予定時刻を受信する。時刻修正情報送信部５４ｂは、電子時計１の第１の計時回路６１ａにより計時される時刻を修正する時刻修正情報を送信する。ここで、時刻修正情報とは、第１の計時回路６１ａにより計時される時刻と正確な時刻との間のずれを修正するための情報である。時刻修正情報は、例えば、正確な時刻を示す情報であってよいし、第１の計時回路６１ａにより計時される時刻と正確な時刻との差を示す情報であってもよい。発電量受信部５４ｃは、電子時計１より、電子時計１の太陽電池４３で発電された電力量を受信する。
【００５０】
電子時計１は、竜頭２及びプッシュボタン４と、第１のイベント予定時刻記憶部６０と、時計制御部６１と、時針２０、分針２１及び秒針２２と、ブザー１８と、時計通信部６２と、を含む。
【００５１】
第１のイベント予定時刻記憶部６０は、イベント予定時刻を記憶する。時計制御部６１は、第１の計時回路６１ａと、時刻修正部６１ｂと、イベント実行部６１ｃと、を含む。第１の計時回路６１ａは、水晶振動子に基づいて計時を行う。時刻修正部６１ｂは、携帯端末３０から受信した時刻修正情報に基づいて第１の計時回路６１ａにより計時される時刻を修正する。イベント実行部６１ｃは、第１の計時回路６１ａにより計時される時刻が第１のイベント予定時刻記憶部６０に記憶されたイベント予定時刻となった時に、所定のイベントを実行する。ここで、所定のイベントとは、ブザー１８によるアラームの発生、発電量、受光量又は消費電力の記録、発電量、受光量又は消費電力の送信、及び携帯端末３０（電子機器）に対する通信の着信確認の少なくともいずれかである。
【００５２】
時計通信部６２は、イベント予定時刻送信部６２ａと、時刻修正情報受信部６２ｂと、発電量送信部６２ｃと、を含む。イベント予定時刻送信部６２ａは、第１のイベント予定時刻記憶部６０に記憶されたイベント予定時刻を携帯端末３０に送信する。時刻修正情報受信部６２ｂは、携帯端末３０から時刻修正情報を受信する。発電量送信部６２ｃは、太陽電池４３で発電された電力量を携帯端末３０に送信する。発電量送信部６２ｃによる発電量の送信は、１時間毎等、定期的に行なわれてよい。なお、本実施形態に係る時刻設定システム１００では、電子時計１が発電量送信部６２ｃを備える場合を例示したが、電子時計１は受光量又は消費電力を記録し、携帯端末３０に対して送信してもよい。
【００５３】
本実施形態に係る時刻設定システム１００では、電子時計１の竜頭２やプッシュボタン４を用いてイベント予定時刻の設定が行なわれ、第１のイベント予定時刻記憶部６０に記憶される。電子時計１は、第１のイベント予定時刻記憶部６０に記憶されたイベント予定時刻を、ユーザの操作に基づいて、又は定期的に携帯端末３０に送信する。携帯端末３０は、受信したイベント予定時刻を第２のイベント予定時刻記憶部５３に記憶する。本実施形態に係る時刻設定システム１００によれば、電子時計１において設定したイベント予定時刻が携帯端末３０に共有され、携帯端末３０から電子時計１への時刻修正情報の送信が適切に制御される。
【００５４】
図４は、本発明の第１の実施形態に係る時刻設定システムにおける時刻修正のフローチャートである。電子時計１は、第１のイベント予定時刻記憶部６０に記憶されたイベント予定時刻を携帯端末３０に送信する（Ｓ１）。電子時計１によるイベント予定時刻の送信は、携帯端末３０による時刻修正情報の送信に先立って行なわれる。電子時計１は、太陽電池４３による発電量を携帯端末３０に送信する際に、併せてイベント予定時刻を携帯端末３０に送信してもよい。
【００５５】
携帯端末３０は、イベント予定時刻を受信し（Ｓ２）、制限部５２ｂによって時刻修正情報の送信を制限するか否かを判断する。携帯端末３０は、原則として、第２の計時回路５２ａにより計時された時刻が、少なくともイベント予定時刻の後の所定の制限範囲にある場合には時刻修正情報の送信を制限し、そうでない場合には時刻修正情報の送信を許可する。ただし、携帯端末３０は、第２の計時回路５２ａにより計時された時刻がイベント予定時刻の後の所定の制限範囲にある場合であっても、所定の条件を満たす場合には、例外的に時刻修正情報の送信を制限しない。ここで、所定の条件とは、第２の計時回路５２ａにより計時される時刻のタイムゾーンの変更、最後の時刻修正情報の送信からの所定期間の経過、第１の計時回路６１ａの停止、及び第２の計時回路５２ａにより計時される時刻のユーザによる修正の少なくともいずれかである。
【００５６】
携帯端末３０は、最後の時刻修正情報の送信以降、第２の計時回路５２ａにより計時される時刻のタイムゾーンの変更があったか否かを判断する（Ｓ３）。タイムゾーンの変更があった場合、第１の計時回路６１ａの時刻ずれは、数秒程度ではなく、数十分から数時間程度であることが想定され、イベント予定時刻の到来まで時刻修正されないのでは電子時計１のユーザに不都合となることもある。そのため、携帯端末３０は、タイムゾーンの変更があった場合には、第２の計時回路５２ａにより計時された時刻がイベント予定時刻の後の所定の制限範囲にあるか否かに関わらず、電子時計１に対して時刻修正情報を送信する。
【００５７】
携帯端末３０は、最後の時刻修正情報の送信から所定期間が経過したか否かを判断する（Ｓ４）。ここで、所定期間とは、例えば１ヶ月であるが、設定は任意である。本実施形態に係る電子時計１のように、第１の計時回路６１ａの精度が月差±１５秒程度である場合、最後の時刻修正情報の送信から１ヶ月経過すると、第１の計時回路６１ａにより計時される時刻は、最大で１５秒遅れるか又は進むことが想定される。このような場合にイベント予定時刻の到来まで時刻修正されないのでは、電子時計１のユーザに不都合となることもある。そのため、携帯端末３０は、最後の時刻修正情報の送信から所定期間が経過した場合には、第２の計時回路５２ａにより計時された時刻がイベント予定時刻の後の所定の制限範囲にあるか否かに関わらず、電子時計１に対して時刻修正情報を送信する。
【００５８】
携帯端末３０は、最後の時刻修正情報の送信から現在までに第１の計時回路６１ａが停止したか否かを判断する（Ｓ５）。例えば、電子時計１は、第１の計時回路６１ａが停止した場合に第１の計時回路６１ａが停止したことを示す停止情報を記憶し、携帯端末３０に停止情報を送信して、携帯端末３０は、停止情報の有無により第１の計時回路６１ａが停止したか否かを判断してよい。ここで、電子時計１から携帯端末３０への停止情報の送信は定期的に行ってよい。また、電子時計１は、第１の計時回路６１ａの動作状態を定期的に記憶して、携帯端末３０に動作状態を送信し、携帯端末３０は、第１の計時回路６１ａの動作状態を解析して第１の計時回路６１ａが停止したか否かを判断することとしもよい。第１の計時回路６１ａが停止していた場合、第１の計時回路６１ａの時刻ずれは、数秒程度ではなく、数十分から数時間程度であることが想定され、イベント予定時刻の到来まで時刻修正されないのでは、電子時計１のユーザに不都合となることもある。そのため、携帯端末３０は、第１の計時回路６１ａが停止していた場合には、第２の計時回路５２ａにより計時された時刻がイベント予定時刻の後の所定の制限範囲にあるか否かに関わらず、電子時計１に対して時刻修正情報を送信する。
【００５９】
携帯端末３０は、最後の時刻修正情報の送信から現在までに第２の計時回路５２ａにより計時される時刻のユーザによる修正があったか否かを判断する（Ｓ６）。ユーザにより第２の計時回路５２ａにより計時される時刻が修正されていた場合、第１の計時回路６１ａの時刻ずれは、数秒程度ではなく、数十分から数時間程度であることが想定され、イベント予定時刻の到来まで時刻修正されないのでは電子時計１のユーザに不都合となることもある。そのため、携帯端末３０は、ユーザにより第２の計時回路５２ａにより計時される時刻が修正されていた場合には、第２の計時回路５２ａにより計時された時刻がイベント予定時刻の後の所定の制限範囲にあるか否かに関わらず、電子時計１に対して時刻修正情報を送信する。
【００６０】
携帯端末３０は、第２の計時回路５２ａにより計時される時刻のタイムゾーンの変更（Ｓ３）、最後の時刻修正情報の送信からの所定期間の経過（Ｓ４）、第１の計時回路６１ａの停止（Ｓ５）、及び第２の計時回路５２ａにより計時される時刻のユーザによる修正（Ｓ６）のいずれも無かった場合に、第２の計時回路５２ａにより計時される時刻が、第２のイベント予定時刻記憶部５３に記憶されたイベント予定時刻の後の所定の制限範囲にあるか否かを判断する（Ｓ７）。ここで、所定の制限範囲とは、携帯端末３０の制限範囲設定部５２ｃにより設定される範囲であり、例えばイベント予定時刻の前後５秒間である。より具体的には、イベント予定時刻が１０時０分０秒である場合、制限範囲は９時５９分５５秒から１０時０分５秒までの範囲であってよい。携帯端末３０は、第２の計時回路５２ａにより計時される時刻が、第２のイベント予定時刻記憶部５３に記憶されたイベント予定時刻の後の所定の制限範囲にある場合、時刻修正情報の送信を行なわず待機する（Ｓ８）。一方、第２の計時回路５２ａにより計時される時刻が、第２のイベント予定時刻記憶部５３に記憶されたイベント予定時刻の後の所定の制限範囲に無い場合、携帯端末３０は、電子時計１に時刻修正情報を送信する（Ｓ９）。電子時計１は、時刻修正情報を受信し（Ｓ１０）、時刻修正部６１ｂにより第１の計時回路６１ａにより計時される時刻を修正する（Ｓ１１）。
【００６１】
仮に、第１の計時回路６１ａにより計時される時刻が２秒遅れており、イベント予定時刻が１０時０分０秒に設定されている場合であって、第２の計時回路５２ａにより計時される時刻が１０時０分１秒を示した時に携帯端末３０から電子時計１に時刻修正情報が送信され、即座に第１の計時回路６１ａにより計時される時刻が修正されると、第１の計時回路６１ａにより計時される時刻は、９時５９分５９秒から１０時０分１秒に修正されることとなる。そのため、イベント予定時刻である１０時０分０秒が飛ばされ、イベントが実行されないこととなる。本実施形態に係る時刻設定システム１００によれば、イベント予定時刻が所定の制限範囲にある場合には、時刻修正情報の送信が制限され、第１の計時回路６１ａにより計時される時刻が遅れている場合にはイベント予定時刻が飛ばされることが防止される。そのため、時刻修正とイベントの実行の双方が適切に行われる。
【００６２】
本実施形態に係る時刻設定システム１００の動作について、第１の計時回路６１ａにより計時される時刻が２秒遅れており、イベント予定時刻が１０時０分０秒に設定されていて、制限範囲がイベント予定時刻の前後５秒間である場合について説明する。この場合、第２の計時回路５２ａにより計時される時刻が１０時０分５秒を示すまで、携帯端末３０から電子時計１に時刻修正情報を送信することが制限され、第２の計時回路５２ａにより計時される時刻が１０時０分５秒になった時に携帯端末３０から電子時計１に時刻修正情報が送信され、即座に第１の計時回路６１ａにより計時される時刻が修正されて、第１の計時回路６１ａにより計時される時刻が１０時０分３秒から１０時０分５秒に修正されることとなる。電子時計１は、第１の計時回路６１ａにより計時される時刻がイベント予定時刻である１０時０分０秒になった時にイベントを実行し、その３秒後に第１の計時回路６１ａにより計時される時刻が修正されるので、イベントが適切に実行され、第１の計時回路６１ａの時刻修正も適切に行なわれる。
【００６３】
制限部５２ｂにより時刻修正情報の送信を制限する所定の範囲は、イベント予定時刻の後のみならず、イベント予定時刻の前に設定されてもよい。例えば、第１の計時回路６１ａにより計時される時刻が２秒進んでおり、イベント予定時刻が１０時０分０秒に設定されていて、制限範囲がイベント予定時刻の前後５秒間である場合について説明する。この場合、仮に携帯端末３０の制限部５２ｂの働きが無く、第２の計時回路５２ａにより計時される時刻が９時５９分５９秒を示した時に携帯端末３０から電子時計１に時刻修正情報が送信されると、第１の計時回路６１ａにより計時される時刻は、１０時０分１秒から９時５９分５９秒に修正されることとなる。そのため、イベント予定時刻である１０時０分０秒が２秒間隔で２度到来することとなり、イベントが重複して実行されることとなる。本実施形態に係る時刻設定システム１００によれば、第２の計時回路５２ａにより計時される時刻が９時５９分５５秒から１０時０分５秒までの間、時刻修正情報の送信が制限されるため、第２の計時回路５２ａにより計時される時刻が１０時０分５秒になった時に携帯端末３０から電子時計１に時刻修正情報が送信され、第１の計時回路６１ａにより計時される時刻が修正されて、第１の計時回路６１ａにより計時される時刻が１０時０分７秒から１０時０分５秒に修正されることとなる。電子時計１は、第１の計時回路６１ａにより計時される時刻がイベント予定時刻である１０時０分０秒になった時にイベントを実行し、その７秒後に第１の計時回路６１ａにより計時される時刻が修正されるので、イベントが適切に実行され、第１の計時回路６１ａの時刻修正も適切に行なわれる。
【００６４】
本実施形態に係る時刻設定システム１００によれば、携帯端末３０は、時刻修正情報送信部５４ｂによる時刻修正情報の送信に先立って、電子時計１からイベント予定時刻を受信するため、電子時計１側で設定された最新のイベント予定時刻に基づいて、時刻修正情報の送信を制限するか否かを判断し、イベントの実行と第１の計時回路６１ａの時刻修正とを両立させることができる。本実施形態に係る時刻設定システム１００によれば、携帯端末３０（電子機器）において時刻修正情報を送信するか否かを判断し、電子時計１は受信した時刻修正情報に従って時刻修正を行う。そのため、携帯端末３０の豊富な処理能力や記憶容量を活用して、電子時計１の処理負荷を低減し、電子時計１の消費電力を低減することができる。
【００６５】
また、本実施形態に係る時刻設定システム１００によれば、アラームの発生、発電量、受光量又は消費電力の記録、発電量、受光量又は消費電力の送信、及び電子機器に対する通信の着信確認といった実行時刻の正確性が要求されるイベントについて、イベント実行と時刻修正のどちらを優先して行うかが適切に判断され、イベント実行時刻の正確性と計時の正確性とが両立される。
【００６６】
図５は、本発明の第１の実施形態に係る携帯端末３０における制限範囲設定のフローチャートである。携帯端末３０は、電子時計１の有する第１の計時回路６１ａの計時精度を取得する（Ｓ２０）。第１の計時回路６１ａの計時精度は、予め携帯端末３０の記憶部に記憶してあってもよいし、電子時計１が送信する計時精度を受信するのであってもよい。
【００６７】
携帯端末３０の制限範囲設定部５２ｃは、最後の時刻修正情報の送信からの期間を取得する（Ｓ２１）。携帯端末３０は、時刻修正情報を送信した日時を記憶部に記憶し、最後の時刻修正情報の送信からの期間を算出することとしてよい。
【００６８】
制限範囲設定部５２ｃは、最後の時刻修正情報の送信からの期間に基づいて、制限範囲を設定する（Ｓ２２）。制限範囲設定部５２ｃは、第１の計時回路６１ａの計時精度と最後の時刻修正情報の送信からの期間とから想定される最大誤差を算出し、算出された最大誤差を上回る制限範囲を設定することとしてよい。例えば、第１の計時回路６１ａの計時精度が月差±１５秒であり、最後の時刻修正情報の送信からの期間が１０日間であった場合、第１の計時回路６１ａは最大で５秒程度のずれを生じていると想定される。この場合、制限範囲設定部５２ｃは、制限範囲をイベント予定時刻の前後５秒間より大きな範囲、例えばイベント予定時刻の前後６秒間としてよい。なお、制限範囲設定部５２ｃは、制限範囲に所定の上限を設けて、最後の時刻修正情報の送信からの期間が長くなった場合であっても、制限範囲が所定の上限以上に拡大しないようにしてもよい。例えば、制限範囲設定部５２ｃは、制限範囲の上限を、イベント予定時刻の前後１０秒間としてもよい。このように、第１の計時回路６１ａの計時精度と、最後の時刻修正情報の送信からの期間に基づいて制限範囲を設定することで、電子時計１の第１の計時回路６１ａについて想定される最大誤差に基づいた時刻修正が行なわれ、イベントの実行と時刻修正の両立がより柔軟に行なわれる。
【００６９】
制限範囲設定部５２ｃは、制限範囲を、イベント予定時刻の前に設定せず、イベント予定時刻の後に設定することとしてもよい。制限範囲をイベント予定時刻の前に設定しないと、第１の計時回路６１ａにより計時される時刻が進んでいた場合、イベントが重複して実行される場合がある。しかしながら、イベントがブザー１８によるアラームの発生や、携帯端末３０（電子機器）に対する通信の着信確認である場合、イベントが重複して実行されることによる弊害は無い。制限範囲を、イベント予定時刻の前に設定せず、イベント予定時刻の後に設定することで、時刻修正情報の送信が制限される範囲を最小限とすることができ、第１の計時回路６１ａの修正をより迅速に行うことができる。
【００７０】
本実施形態に係る時刻設定システム１００において、イベント予定時刻は、毎正秒である。ここで、毎正秒とは、各時分のはじまりの時刻をいう。これにより、ユーザは、イベント予定時刻を設定する際に秒の設定を省略することができ、イベント予定時刻の設定が簡便になる。
【００７１】
［第２の実施形態］
図６は、本発明の第２の実施形態に係る時刻設定システムの機能ブロック図である。本実施形態に係る時刻設定システム１００は、携帯端末３０がイベント予定時刻送信部５４ｄを有し、電子時計１がイベント予定時刻受信部６２ｄとイベント予定時刻更新部６１ｄを有する点で第１の実施形態に係る時刻設定システム１００と相違する。その他の構成については、本実施形態に係る時刻設定システム１００は、第１の実施形態に係る時刻設定システム１００と同様の構成を有する。以下では、第１の実施形態の場合との相違点について詳しく説明し、第１の実施形態と共通する構成については説明を省略する。
【００７２】
携帯端末３０は、時刻修正情報送信部５４ｂによる時刻修正情報の送信に先立って、電子時計１へイベント予定時刻を送信するイベント予定時刻送信部５４ｄを有する。本実施形態に係る時刻設定システム１００では、携帯端末３０を用いてイベント予定時刻の設定が行なわれ、第２のイベント予定時刻記憶部５３に記憶される。携帯端末３０は、第２のイベント予定時刻記憶部５３に記憶されたイベント予定時刻を、ユーザの操作に基づいて、又は定期的に電子時計１に送信する。
【００７３】
電子時計１は、イベント予定時刻を受信するイベント予定時刻受信部６２ｄを有する。電子時計１は、イベント予定時刻受信部６２ｄにより受信したイベント予定時刻により第１のイベント予定時刻記憶部６０に記憶されたイベント予定時刻を更新するイベント予定時刻更新部６１ｄを有する。
【００７４】
図７は、本発明の第２の実施形態に係る時刻設定システム１００における時刻修正のフローチャートである。携帯端末３０は、第２のイベント予定時刻記憶部５３に記憶されたイベント予定時刻を電子時計１に送信する（Ｓ３０）。携帯端末３０によるイベント予定時刻の送信は、携帯端末３０による時刻修正情報の送信に先立って行なわれる。携帯端末３０は、１時間毎等、定期的にイベント予定時刻を電子時計１に送信してもよいし、ユーザの操作に基づいてイベント予定時刻を電子時計１に送信してもよい。
【００７５】
電子時計１は、イベント予定時刻を受信し（Ｓ３１）、イベント予定時刻更新部６１ｄにより第１のイベント予定時刻記憶部６０に記憶されたイベント予定時刻を更新する（Ｓ３２）。携帯端末３０は、制限部５２ｂによって時刻修正情報の送信を制限するか否かを判断する。携帯端末３０は、原則として、第２の計時回路５２ａにより計時された時刻が、少なくともイベント予定時刻の後の所定の制限範囲にある場合には時刻修正情報の送信を制限し、そうでない場合には時刻修正情報の送信を許可する。ただし、携帯端末３０は、第２の計時回路５２ａにより計時された時刻がイベント予定時刻の後の所定の制限範囲にある場合であっても、所定の条件を満たす場合には、例外的に時刻修正情報の送信を制限しない。ここで、所定の条件とは、第２の計時回路５２ａにより計時される時刻のタイムゾーンの変更、最後の時刻修正情報の送信からの所定期間の経過、第１の計時回路６１ａの停止、及び第２の計時回路５２ａにより計時される時刻のユーザによる修正の少なくともいずれかである。
【００７６】
携帯端末３０は、最後の時刻修正情報の送信以降、第２の計時回路５２ａにより計時される時刻のタイムゾーンの変更があったか否かを判断する（Ｓ３３）。また、携帯端末３０は、最後の時刻修正情報の送信から所定期間が経過したか否かを判断する（Ｓ３４）。また、携帯端末３０は、最後の時刻修正情報の送信から現在までに第１の計時回路６１ａが停止したか否かを判断する（Ｓ３５）。また、携帯端末３０は、最後の時刻修正情報の送信から現在までに第２の計時回路５２ａにより計時される時刻のユーザによる修正があったか否かを判断する（Ｓ３６）。第２の計時回路５２ａにより計時される時刻のタイムゾーンの変更（Ｓ３３）、最後の時刻修正情報の送信からの所定期間の経過（Ｓ３４）、第１の計時回路６１ａの停止（Ｓ３５）、及び第２の計時回路５２ａにより計時される時刻のユーザによる修正（Ｓ３６）のいずれが行なわれた場合、第２の計時回路５２ａにより計時される時刻が、第２のイベント予定時刻記憶部５３に記憶されたイベント予定時刻の後の所定の制限範囲にあるか否かに関わらず、携帯端末３０は電子時計１に対して時刻修正情報を送信する（Ｓ３９）。
【００７７】
携帯端末３０は、第２の計時回路５２ａにより計時される時刻のタイムゾーンの変更（Ｓ３３）、最後の時刻修正情報の送信からの所定期間の経過（Ｓ３４）、第１の計時回路６１ａの停止（Ｓ３５）、及び第２の計時回路５２ａにより計時される時刻のユーザによる修正（Ｓ３６）のいずれも無かった場合に、第２の計時回路５２ａにより計時される時刻が、第２のイベント予定時刻記憶部５３に記憶されたイベント予定時刻の後の所定の制限範囲にあるか否かを判断する（Ｓ３７）。携帯端末３０は、第２の計時回路５２ａにより計時される時刻が、第２のイベント予定時刻記憶部５３に記憶されたイベント予定時刻の後の所定の制限範囲にある場合、時刻修正情報の送信を行なわず待機する（Ｓ３８）。一方、第２の計時回路５２ａにより計時される時刻が、第２のイベント予定時刻記憶部５３に記憶されたイベント予定時刻の後の所定の制限範囲に無い場合、携帯端末３０は、電子時計１に時刻修正情報を送信する（Ｓ３９）。電子時計１は、時刻修正情報を受信し（Ｓ４０）、時刻修正部６１ｂにより第１の計時回路６１ａにより計時される時刻を修正する（Ｓ４１）。
【００７８】
本実施形態に係る時刻設定システム１００によれば、携帯端末３０側で設定したイベント予定時刻に基づいて、電子時計１の第１のイベント予定時刻記憶部６０に記憶されたイベント予定時刻が更新されることで、入力手段や処理能力が豊富な携帯端末３０によりイベント予定時刻を一元的に管理することができ、ユーザの利便性が向上する。
【００７９】
以上、本発明に係る実施形態について説明したが、この実施形態に示した具体的な構成は一例として示したものであり、本発明の技術的範囲をこれに限定することは意図されていない。例えば、上述の実施形態で使用する機器として、電子時計を対象として説明したが、本発明は電子時計に限定されることなく、より一般的な電子機器に適用されてもよい。また、電子時計と通信する機器は携帯機器に限定されず、一般的な電子機器、例えば据え置き型の電子機器であってもよい。当業者は、これら開示された実施形態を適宜変形してもよく、本明細書にて開示される発明の技術的範囲は、そのようになされた変形をも含むものと理解すべきである。
【符号の説明】
【００８０】
１  電子時計、２  竜頭、４  プッシュボタン、１０  文字板、１１  接続処理表示、１２  リンクロス表示、１３  電子メール受信表示、１４  電話着信表示、１５  第１副針、１５ａ  ２４時間表示、１６  第２副針、１６ａ  充電残量表示、１６ｂ  曜日表示、１６ｃ  アラーム設定表示、１６ｄ  接続状態表示、１７  第３副針、１７ａ  機能設定表示、１８  ブザー、２０  時針、２１  分針、２２  秒針、３０  携帯端末、３１  ＣＰＵ、３２  エンコード／デコード回路、３３  二次電池、４０  コントローラ、４１  エンコード／デコード回路、４２  モータ、４３  太陽電池、４４  二次電池、４５  スイッチ、５０  入力部、５１  表示部、５２  端末制御部、５２ａ  第２の計時回路、５２ｂ  制限部、５２ｃ  制限範囲設定部、５３  第２のイベント予定時刻記憶部、５４  端末通信部、５４ａ  イベント予定時刻受信部、５４ｂ  時刻修正情報送信部、５４ｃ  イベント予定時刻送信部、６０  第１のイベント予定時刻記憶部、６１  時計制御部、６１ａ  第１の計時回路、６１ｂ  時刻修正部、６１ｃ  イベント実行部、６１ｄ  イベント予定時刻更新部、６２  時計通信部、６２ａ  イベント予定時刻送信部、６２ｂ  時刻修正情報受信部、６２ｃ  イベント予定時刻受信部、１００  時刻設定システム。
【図１】
2017227588.tif 000003
【図２】
2017227588.tif 000004
【図３】
2017227588.tif 000005
【図４】
2017227588.tif 000006
【図５】
2017227588.tif 000007
【図６】
2017227588.tif 000008
【図７】
2017227588.tif 000009